(57)【要約】【課題】  カードがコンタクトから離れることを防止すること。【解決手段】  ハウジング２１は、カード４１を挿入したスライダ３１をガイドする一対のフレーム部２５ａ，２５ｂと、該フレーム部２５ａ，２５ｂ間に設けたブリッジ部２９とを有し、前記フレーム部２５ａ，２５ｂは、前記スライダ３１を前記嵌合方向Ａ及び離脱方向Ｂへガイドするガイド溝２５ｆを有し、前記スライダ３１は、前記ガイド溝２５ｆに対向する前記スライダ３１の側面に形成したガイド部３２ｅ，３２ｆと、前記嵌合方向Ａの先端側に設けられた爪部３１ｃとを有し、前記爪部３１ｃの先端部には、傾斜部３１ｅが設けられている。【選択図】  図２
2009104795.tif 000002
【特許請求の範囲】
【請求項１】
カードと接続対象物との電気的な接続を行うカード用コネクタにおいて、
前記カードを嵌合方向へ挿入し該嵌合方向と交差する方向で前記カードに設けた相手コンタクトと接続するコンタクトと、該コンタクトを保持するハウジングと、前記カードと共に移動するスライダとを有し、
前記ハウジングは、前記嵌合方向及び前記嵌合方向とは逆向きの離脱方向へ前記スライダをガイドする一対のフレーム部と、前記嵌合方向の奥部で前記フレーム間に設けたブリッジ部とを有し、
前記フレーム部は、前記スライダを前記嵌合方向及び前記離脱方向へガイドするガイド溝を有し、
前記スライダは、前記ガイド溝に対向する前記スライダの側面に形成したガイド部と、前記嵌合方向の先端側に設けられた爪部とを有し、
前記爪部の先端部には、前記ガイド溝と前記ガイド部とにより、前記カードが前記コンタクトに向けて押圧され、前記カードと前記コンタクトとが接続し前記爪部と前記ブリッジ部とが当接する際に、前記嵌合方向へ移動し当接して前記嵌合方向で前記ブリッジ部に当接しつつ前記ブリッジ部に形成されている切り欠き部へ移動する傾斜部が設けられていることを特徴とするカード用コネクタ。
【請求項２】
請求項１記載のカード用コネクタにおいて、前記ハウジングには、前記ブリッジ部上で前記フレームに回転軸を介して回動可能なカバーハウジングが設けられており、前記カバーハウジングは、前記カードを前記嵌合方向へ移動させた際に、前記スライダを押し付け、前記カードを前記コンタクトへ向けて押圧する押圧部を有することを特徴とするカード用コネクタ。
【請求項３】
請求項１記載のカード用コネクタにおいて、前記ハウジングは、前記嵌合方向側の前記カバーハウジング上に設けたストッパー部材を有し、
前記カードと前記コンタクトとが接続し前記爪部と前記ストッパー部材とが当接する際に、前記嵌合方向へ移動して当接して前記嵌合方向で前記ストッパー部材に当接しつつ前記傾斜部が移動することを特徴とするカード用コネクタ。
【請求項４】
請求項１記載のカード用コネクタにおいて、前記カードを前記嵌合方向へ移動させた際に、押圧されるポンプを有し、ポンプを前記爪部によって押圧することにより、前記ハウジングに形成した排気弁を開き排気し、前記ハウジング形成した吸着弁によって前記カードを吸引し、前記カードを排出するときに前記吸気弁を開くことを特徴とするカード用コネクタ。
【発明の詳細な説明】
【技術分野】
【０００１】
本発明は、カードを挿入して接続対象物に電気的に接続するカード用コネクタに属する。
【背景技術】
【０００２】
先行技術１としては、複数のコンタクト端子の各バネ片部を複数のバネ片ユニットに分割し、分割された各バネ片ユニットの質量、バネ定数およびカードの接触バッドに対する接触力を異ならせることにより、各バネ片ユニットの共振周波数（固有振動数）を異ならせているカード用コネクタが知られている（例えば、特許文献１を参照）。
【０００３】
先行技術２としては、ＩＣカードがベースインシュレータ内の所定挿入量を超えて挿入された時、カバーインシュレータの両側面に設けた突起部を挿入方向に対して斜めに案内するようにベースインシュレータに設けたカム溝に案内されカバーインシュレータが下方へ移動し、ＩＣカードがコンタクトの接点部に接触するカード用コネクタが知られている（例えば、特許文献２を参照）。
【０００４】
【特許文献１】特許３５０７４３４号公報
【特許文献２】特開平１０−１４４４２２号公報
【発明の開示】
【発明が解決しようとする課題】
【０００５】
特許文献１におけるカード用コネクタでは、個々のコンタクト端子の接点がそれぞれ瞬断を生じることは解決されていない。したがって、カードに設けられている接触パッドが接点の自由高さから離れるほど浮いた場合には、カード用コネクタとしての役目を果たすことができない。
【０００６】
また、振動、衝撃時のカード端子の浮き量は曲げ剛性に依存する。衝撃時には、衝撃エネルギーの大きさに依存し、振動時には振動エネルギー及び固有振動数に依存して大きくなり得る。
【０００７】
したがって、ある限界点を越えればコンタクト端子の接点は離れるので、予期せぬ振動、衝撃に対して限界点を定めることが困難であり、小型化を要求されるものの、剛性向上にも限界があり確実に接触を保つ保証はできないという問題がある。
【０００８】
特許文献２では、カム溝に案内されカバーインシュレータが下方へ移動し、ＩＣカードがコンタクトの接点部に接触するので、振動等によりカードが撓んだ場合、コンタクトが離れてしまうという問題がある。
【０００９】
それ故に、本発明の課題は、振動、衝撃に対してカードがコンタクトから離れることを確実に防止できるカード用コネクタを提供することにある。
【課題を解決するための手段】
【００１０】
本発明は、カードと接続対象物との電気的な接続を行うカード用コネクタにおいて、前記カードを嵌合方向へ挿入し該嵌合方向と交差する方向で前記カードに設けた相手コンタクトと接続するコンタクトと、該コンタクトを保持するハウジングと、前記カードと共に移動するスライダとを有し、前記ハウジングは、前記嵌合方向及び前記嵌合方向とは逆向きの離脱方向へ前記スライダをガイドする一対のフレーム部と、前記嵌合方向の奥部で前記フレーム部間に設けたブリッジ部とを有し、前記フレーム部は、前記スライダを前記嵌合方向及び前記離脱方向へガイドするガイド溝を有し、前記スライダは、前記ガイド溝に対向する前記スライダの側面に形成したガイド部と、前記嵌合方向の先端側に設けられた爪部とを有し、前記爪部の先端部には、前記ガイド溝と前記ガイド部とにより、前記カードが前記コンタクトに向けて押圧され、前記カードと前記コンタクトとが接続し前記爪部と前記ブリッジ部とが当接する際に、前記嵌合方向へ移動し当接して前記嵌合方向で前記ブリッジ部に当接しつつ前記ブリッジ部に形成されている切り欠き部へ移動する傾斜部が設けられていることを特徴とするカードコネクタであることを最も主要な特徴とする。
【発明の効果】
【００１１】
本発明のカード用コネクタによれば、爪部の傾斜部によって、スライダとハウジングのブリッジ部との干渉を避けることができる。
【００１２】
また、本発明のカード用コネクタによれば、ガイド溝に傾斜部を形成し、カードを嵌合する時にスライダをコンタクトの方向へしならせることで振動などによるカードの撓みを防止することができる。
【００１３】
また、本発明のカード用コネクタによれば、爪部の傾斜部によって、スライダとストッパー部材との干渉を避けることができる。
【００１４】
さらに、本発明のカード用コネクタによれば、カードを嵌合する時に、スライダの爪部によって、ポンプを押し、排気されたポンプの負圧でカードをコンタクトの方向へ吸引することによって、振動等によるカードの撓みを防止することができる。
【発明を実施するための最良の形態】
【００１５】
本発明のカード用コネクタは、カードと接続対象物との電気的な接続を行うカード用コネクタにおいて、前記カードを嵌合方向へ挿入し該嵌合方向と交差する方向で前記カードに設けた相手コンタクトと接続するコンタクトと、該コンタクトを保持するハウジングと、前記カードと共に移動するスライダとを有し、前記ハウジングは、前記嵌合方向及び前記嵌合方向とは逆向きの離脱方向へ前記スライダをガイドする一対のフレーム部と、前記嵌合方向の奥部で前記フレーム部間に設けたブリッジ部とを有し、前記フレーム部は、前記スライダを前記嵌合方向及び前記離脱方向へガイドするガイド溝を有し、前記スライダは、前記ガイド溝に対向する前記スライダの側面に形成したガイド部と、前記嵌合方向の先端側に設けられた爪部とを有し、前記爪部の先端部には、前記ガイド溝と前記ガイド部とにより、前記カードが前記コンタクトに向けて押圧され、前記カードと前記コンタクトとが接続し前記爪部と前記ブリッジ部とが当接する際に、前記嵌合方向へ移動し当接して前記嵌合方向で前記ブリッジ部に当接しつつ前記ブリッジ部に形成されている切り欠き部へ移動する傾斜部が設けられていることにより実現した。
【実施例１】
【００１６】
図１乃至図３は、実施例１のカード用コネクタを示している。図１乃至図３を参照して、カード用コネクタは、導電性の第１のコンタクト１１と、導電性の第２のコンタクト１２と、第１及び第２のコンタクト１１，１２を所定位置に保持している絶縁性のハウジング２１と、ハウジング２１に取り付けられているスライダ３１とを有する。
【００１７】
第１のコンタクト１１は、第１の保持部１１ａと、第１の保持部１１ａの一端に接続されている第１の接触部１１ｂと、第１の保持部１１ａの他端に接続されている第１の端子部１１ｃとを有する。
【００１８】
第２のコンタクト１２は、第２の保持部１２ｂと、第２の保持部１２ｂの一端に接続されている第２の接触部１２ｂと、第２の保持部１２ｂの他端に接続されている第２の端子部１２ｃとを有する。
【００１９】
第１のコンタクト１１の第１の接触部１１ｂの先端部分には、略逆Ｕ字状に曲げられている第１の接点部１１ｄが形成されている。第２のコンタクト１２の第２の接触部１２ｂの先端部分には、略逆Ｕ字状に曲げられている第２の接点部１２ｄが形成されている。
【００２０】
なお、第１及び第２のコンタクト１１、１２は、金属製の薄板をプレス打ち抜きした後に、曲げ加工を施すことによって作ることができる。
【００２１】
ハウジング２１は、一対のフレーム部２５ａ，２５ｂと、ベース部２７と、ブリッジ部２９とを有している。ここで、一対のフレーム部２５ａ，２５ｂの長手方向における一方向を嵌合方向Ａ（図２に示した矢印Ａ方向）と呼び、嵌合方向Ａとは逆向きの方向を離脱方向Ｂ（図２に示した矢印Ｂ方向）と呼ぶことにする。
【００２２】
一対のフレーム部２５ａ，２５ｂのそれぞれは、嵌合方向Ａ及び離脱方向Ｂに長い板形状である。ベース部２７の一面２７ａ上には、一対のフレーム部２５ａ，２５ｂが互いに平行に対向するように設けられている。また、ベース部２７の一面２７ａ上には、嵌合方向Ａの奥部に位置している一対のフレーム部２５ａ、２５ｂ間を端渡すようにブリッジ部２９が設けられている。
【００２３】
ブリッジ部２９には、離脱方向Ｂ側の面２９ａにおいて嵌合方向Ａへ沿って切り欠けられている切り欠き部２９ｂが形成されている。切り欠き部２９ｂは、ベース部２７と対向している第１の面２９ｃと、ブリッジ部２９の離脱方向Ｂ側の前面２９ａと平行な第２の面２９ｄとを有する。ブリッジ部２９、一対のフレーム部２５ａ、２５ｂ及びベース部２７は、これらが一体となっている。
【００２４】
さらに、ベース部２７の一面２７ａ上には、第１のコンタクト１１を保持する第１のコンタクト保持部２８ａが設けられている。第１のコンタクト保持部２８ａには、第１の保持部１１ａが保持されている。さらに、ベース部２７の一面２７ａ上には、第２のコンタクト１２を保持する第２のコンタクト保持部２８ｂが設けられている。第２のコンタクト保持部２８ｂには、第２の保持部１２ａが保持されている。
【００２５】
第１及び第２のコンタクト１１，１２のそれぞれは、ベース部２７の一面２７a上において嵌合・離脱方向Ａ、Ｂで互いに間隔をもって配置されている。第１及び第２の接触部１１ｂ，１２ｂは、嵌合・離脱方向Ａ、Ｂにおいて対向するように配置されている。また、第１及び第２のコンタクト１１，１２のそれぞれは、ベース部２７の一面２７ａ上において嵌合・離脱方向Ａ、Ｂと直交する幅方向Ｗ（図３に示す矢印Ｗ方向）で複数本が互いに間隔をもって配列されている。
【００２６】
なお、実施例１における第１のコンタクト保持部２８ａには、３本の第１のコンタクト１１が保持されている。第２のコンタクト保持部２８ｂには、３本の第２のコンタクト１２が保持されている。
【００２７】
また、ベース部２７上には、嵌合・離脱方向Ａ、Ｂにおける第１及び第２のコンタクト保持部２７ａ，２７ｂ間に、受台部２８ｃが立設されている。受台部２８ｃは、図２の断面図によって見ると、略Ｔ字状となっている。受台部２８ｃには、嵌合・離脱方向Ａ，Ｂで対向する両側面に凹部２８ｄが形成されている。凹部２８ｄには、第１及び第２のコンタクト１１，１２の第１及び第２の接触部１１ｂ，１２ｂの自由端が対向するように位置している。
【００２８】
一対のフレーム部２５ａ,２５ｂの対向する面のそれぞれには、図２乃至図４にも示すように、スライダ３１を嵌合方向Ａ及び離脱方向Ｂへガイドするガイド溝２５ｆが形成されている。ガイド溝２５ｆは、ベース部２７の一面２７ａ上における方向で受台部２８ｃの上面よりも上方に位置している。
【００２９】
ガイド溝２５ｆは、一対のフレーム部２５ａ，２５ｂの離脱方向Ｂの先端から嵌合方向Ａへ延びている。ガイド溝２５ｆは、嵌合方向Ａの先端がブリッジ部２９の離脱方向Ｂ側の端面の近傍にまで延びている。嵌合方向Ａ側のガイド溝２５ｆの中間部分及び先端部分は、嵌合方向Ａでベース部２７へ向かって傾斜して延びている傾斜溝部２５ｇ，２５ｇ´と、傾斜溝部２５ｇ，２５ｇ´からベース部２７と平行な方向で嵌合方向Ａへ延びている先端溝部２５ｈ，２５ｈ´とを有する。
【００３０】
第１のガイド部３２ｅは、傾斜溝部２５ｇと先端溝部３２ｈに挿入され、第２のガイド部３２ｆは、傾斜溝部２５ｇ´と先端溝部２５ｈ´に挿入される。これにより、カード４１をコンタクト１１，１２に押し付ける。
【００３１】
図５は、スライダ３１と、スライダ３１に挿入され、スライダ３１とともに移動可能なカード４１とを示している。図５をも参照して、スライダ３１は、嵌合・離脱方向Ａ，Ｂへ長い板状のスライダ本体部３１ａと、スライダ本体部３１ａの嵌合方向Ａの端辺から略直角方向へ延びている当接部３１ｂ（図２を参照）と、当接部３１ｂから嵌合方向Ａへ延びている爪部３１ｃとを有する。
【００３２】
当接部３１ｂは、スライダ本体部３１ａの嵌合方向Ａの端辺からスライダ本体部３１ａに対して略直角に曲げられている部分である。爪部３１ｃは、スライダ本体部３１ａと略平行に延びている平行部３１ｄと、平行部３１ｄから嵌合方向Ａで下向きに傾斜している傾斜部３１ｅを有する。
【００３３】
さらに、スライダ本体部３１ａは、嵌合・離脱方向Ａ，Ｂと直交する幅方向Ｗ（図３を参照）の両辺をスライダ本体部３１ａと平行となるように曲げることによって形成されている一対のガイド枠部３１ｇを有する。
【００３４】
当接部３１ｂと爪部３１ｃとは、スライダ本体部３１ａの嵌合方向Ａ側の先端部分において、当接部３１ｂ、爪部３１ｃ及びスライダ本体部３１ａをクランク形状となるように折り曲げることによって形成することができる。即ち、平行部３１ｄは、スライダ本体部３１ａの板面と略平行な段差面となる。
【００３５】
スライダ３１の幅方向Ｗの両側の外面には、嵌合方向Ａ側に一対の第１のガイド部３２ｅが形成されている。さらに、スライダ本体部３１ａの幅方向Ｗの両側の外面には、嵌合方向Ａ側に一対の第２のガイド部３２ｆが形成されている。第１及び第２のガイド部３２ｅ，３２ｆは、スライダ本体部３１ａの幅方向Ｗの両側の外面から幅方向Ｗへ突出している。
【００３６】
スライダ３１の第１及び第２のガイド部３２ｅ，３２ｆを除く部分は、金属製の薄板をプレス打ち抜きした後に、曲げ加工を施すことによって作ることができる。
【００３７】
カード４１は、薄板形状のものであり、内部にメモリ回路のような電子回路が内蔵されている。カード４１の幅方向Ｗの両辺部は、スライダ３１のガイド枠部３１ｇに挿入され、嵌合方向Ａの先端面がスライダ３１の当接部３１ｂの内面に当接するまで挿入される。
【００３８】
図６は、カード４１が第１及び第２のコンタクト１１，１２と接触している状態（嵌合状態）を示している。第１及び第２のガイド部３２ｅ，３２ｆは、一対のフレーム部２５ａ、２５ｂのそれぞれに形成されているガイド溝２５ｆに係合することにより嵌合方向Ａ及び離脱方向Ｂへスライド移動が可能となっている。
【００３９】
したがって、スライダ３１は、カード４１をハウジング２１において嵌合又は離脱する時にフレーム部２５ａ、２５ｂに沿ってカード４１とともに嵌合方向Ａ及び離脱方向Ｂ間を移動することができる。
【００４０】
ガイド溝２５ｆの傾斜溝部２５ｇ及び先端溝部２５ｈは、カード４１と共に移動するスライダ３１を介してカード４１を第１及び第２のコンタクト１１，１２へ向けて押圧することにより、カード４１と第１及び第２のコンタクト１１，１２とを接続させる役目を果たす。
【００４１】
カード４１を挿入する際には、スライダ３１をカード４１の嵌合方向Ａへ押し、カード４１とスライダ３１が共に嵌合方向Ａへ移動する。スライダ３１は、ガイド部３２ｅがフレーム部２５ａ，２５ｂのガイド溝２５ｆに沿って移動する。
【００４２】
ガイド溝２５ｆには、スライダ３１の爪部３１ｃに傾斜部３１ｅを持たせたので、傾斜部３１ｅの上面がブリッジ部２９の前面２９ａの下端に当たり、切り欠き部２９ｂに誘い込まれるようにして挿入される。この際、ガイド溝２５ｆの先端溝部２５ｈには、第１のガイド部３２ｅが位置する。
【００４３】
カード４１が嵌合方向Ａの奥部まで挿入されると、ガイド溝２５ｆが下方へ向かうように傾斜溝部２５ｇが形成されているため、スライダ３１を第１及び第２のコンタクト１１，１２の第１及び第２の接点部１１ｄ，１２ｄ側へ押し付けつつ移動する。
【００４４】
カード４１が嵌合方向Ａの一番奥に移動したときには、図５に示したカード４１のカード接点部４１ａのそれぞれに第１及び第２の接点部１１ｄ，１２ｄが接触する。この際、スライダ３１の先端の爪部３１ｃが切り欠き部２９ｂに入り込み、スライダ３１を撓ませないように規制する。即ち、スライダ３１の当接部３１ｂの外面がブリッジ部２９の前面２９ａに当接し、爪部３１ｃの平行部３１ｄがブリッジ部２９の第１の面２９ｃと当接する。
【００４５】
したがって、スライダ３１のスライダ本体部３１ａは撓むことがなく、カード４１自体も規制され撓まなくなり，第１及び第２のコンタクト１１，１２の第１及び第２の接点部１１ｄ，１２ｄをカード４１のカード接点部４１ａに密着させることができる。
【００４６】
カード４１が嵌合方向Ａの一番奥に移動したときには、ブリッジ部２９の前面２９ａの切り欠き部２９ｂにスライダ３１の先端の爪部３１ｃがもぐりこみ、スライダ３１を撓ませないように規制する。この際、スライダ３１は撓まないため、カード４１自体も規制され撓まなくなり第１及び第２のコンタクト１１、１２に密着させることができる。
【００４７】
なお、ベース部２７は、プリント回路基板のような基板（接続対象物）に搭載される。このとき、第１及び第２のコンタクト１１、１２の第１及び第２の端子部１１ｃ、１２ｃは、基板の回路に半田によって接続される。図２及び図３、図５及び図６に示したカード４１が排出されている状態のカード用コネクタでは、スライダ３１がフレーム部２５ａ，２５ｂのガイド溝２５ｆにより、基板から遠ざかるようにガイドされるため、カード４１と第１及び第２のコンタクト１１，１２の第１及び第２の接点部１１ｄ、１２ｄとは接触していない。
【００４８】
したがって、スライダ３１は、カード４１が排出している時に基板から遠ざかっていることによりカード４１が第１及び第２のコンタクト１１，１２の第１及び第２の接点部１１ｄ，１２ｄから離れ、第１及び第２の接点部１１ｄ，１２ｄやカード４１の表面の磨耗することを防止するようになっている。
【００４９】
さらに、スライダ３１が撓まないときには、スライダ３1の爪部３１ｃとブリッジ部２９の前面２９ａとは接触せず、スライダ３１が撓んだときに爪部３１ｃとブリッジ部２９の前面２９ａと接触するので、カード４１と第１及び第２のコンタクト１１，１２の第１及び第２の接点部１１ｄ，１２ｄが離れることを防ぐことができる。
【００５０】
カード４１に設けられているカード接点部４１ａは、第１及び第２のコンタクト１１，１２の第１及び第２の接点部１１ｄ，１２ｄとスライダ３１とによって挟み込むことにより安定した接触を実現する役割を果たす。この動作は、樹脂製のハウジング２１に設けられたガイド溝２５ｆにより案内される。
【００５１】
カード４１の挿入が完了した時には、スライダ３１の爪部３１ｃとブリッジ部２９の前面２９ａとが常時接触しており、ブリッジ部２９の前面２９ａは、スライダ３１の爪部３１ｃに対して基板の方向へ荷重を印加している。
【００５２】
したがって、カード４１は、第１及び第２のコンタクト１１，１２とスライダ３１とによって弾性的に保持され、多少の振動、衝撃にも耐え得るように安定した電気的導通がなされる。このとき、スライダ３１の爪部３１ｃは、ブリッジ部２９の前面２９ａに干渉しておらず、カード４１を挿入するときに、この状態へ移行する際の感触の悪化、またカード４１を排出するときにこの状態から移行する際の引っ掛かりによる排出不良などが生じない。
【００５３】
なお、ブリッジ部２９の前面２９ａは、カード４１のカード接点部４１ａを第１及び第２のコンタクト１１、１２の位置へ案内するようにスライダ３１を保持し基板に直接固定するか、又は他部品を介して間接的に基板に固定するようにしてもよい。
【実施例２】
【００５４】
図７及び図８は、カード用コネクタの実施例２を示している。なお、実施例１と同じ部分には、同じ符号を付して説明を省略する。
【００５５】
図７及び図８を参照してカード用コネクタは、第１のコンタクト１１と、第２のコンタクト１２と、第１及び第２のコンタクト１１，１２を所定位置に保持している絶縁性のハウジング１２１と、スライダ３１と、ハウジング１２１に取り付けられているカバーハウジング１２３と、ストッパー部材１２５とを有する。
【００５６】
ハウジング１２１は、一対のフレーム部２５ａ，２５ｂと、ベース部２７と、ブリッジ部１２９とを有している。
【００５７】
図９にも示したカバーハウジング１２３は、ブリッジ部１２９上に位置している部分において、ハウジング１２１に対して回動可能に一対のフレーム部２５ａ，２５ｂに設けられている一対の回転軸２０１ａ,２０１ｂを介して軸支している。カバーハウジング１２３には、嵌合方向Ａ側の裏面に回転軸２０１ａ,２０１ｂを受け入れる回転用溝１２３ｄが形成されている。さらにカバーハウジング１２３には、ハウジング１２１のベース部２７に対向するように押圧部１２３ｂが延びている。
【００５８】
さらに、カバーハウジング１２３の嵌合方向Ａ側には、図１０にも示したストッパー部材１２５が設けられている。ストッパー部材１２５は、スライダ３１の爪部３１ｃが嵌合方向Ａへ移動しカード４１と第１及び第２のコンタクト１１，１２とが接続した際に、爪部３１ｃと係合し第１及び第２のコンタクト１１、１２の弾性変位力を受ける。
【００５９】
図１１に示すように、カード４１を嵌合方向Ａへ移動させた際には、カード４１を押し込むとガイド部がカード４１を下方に押し、カード４１を第１及び第２のコンタクト１１，１２に押し付ける。このとき、スライダ３１に向かって回転可能なカバーハウジング１２３の押圧部１２３ｂによってカード４１が下向きに押されることによって第１及び第２のコンタクト１１，１２とカード４１のカード接点部４１ａとが接触する。
【００６０】
カード４１が排出されている状態のカード用コネクタでは、スライダ３１がフレーム部２５ａ，２５ｂのガイド溝２５ｆにより、ベース部２７から遠ざかるようにガイドされるため、カード４１と第１及び第２のコンタクト１１，１２の第１及び第２の接点部１１ｄ、１２ｄとは接触していない。
【００６１】
したがって、スライダ３１は、カード４１が排出している時にベース部２７から遠ざかっていることによりカード４１が第１及び第２のコンタクト１１，１２の第１及び第２の接点部１１ｄ，１２ｄから離れ、第１及び第２の接点部１１ｄ，１２ｄやカード４１の表面の磨耗することを防止するようになっている。
【００６２】
さらに、スライダ３１が撓まないときには、スライダ３1の爪部３１ｃとストッパー部材１２５とは接触せず、スライダ３１が撓んだときに爪部３１ｃとストッパー部材１２５とは接触するので、カード４１と第１及び第２のコンタクト１１，１２の接点部１１ｄ，１２ｄが離れることを防ぐことができる。
【００６３】
カード４１に設けられているカード接点部４１ａは、第１及び第２のコンタクト１１，１２の第１及び第２の接点部１１ｄ，１２ｄとスライダ３１とによって挟み込むことにより安定した接触を実現する役割を果たす。この動作は、金属製の薄板に構成されたカバーハウジング１２３の押圧部１２３ｂもしくは樹脂製のハウジング１２１に設けられたガイド溝２５ｆにより案内される。
【００６４】
このカード用コネクタにおいては、爪部３１ｃがストッパー部材１２５よりも嵌合方向Ａ側に位置して露出しており、フレーム部２５ａ、２５ｂと干渉していないため、嵌合方向Ａ及び離脱方向Ｂへ円滑に動作させることが可能である。
【００６５】
カード４１を挿入する時には、スライダ３１の爪部３１ｃとストッパー部材１２５とが常時接触しており、ストッパー部材１２５は、スライダ３１の爪部３１ｃに対してベース部２７の方向、又はカード４１を排出する嵌合方向Ａへ荷重を印加している。
【００６６】
したがって、カード４１は、第１及び第２のコンタクト１１，１２とスライダ３１とによって弾性的に保持され、多少の振動、衝撃にも耐え得るように安定した電気的導通がなされる。このとき、スライダ３１の爪部３１ｃは、ストッパー部材１２５に干渉しておらず、カード４１を挿入するときに、この状態へ移行する際の感触の悪化、またカード４１を排出するときにこの状態から移行する際の引っ掛かりによる排出不良などが生じない。
【００６７】
なお、ストッパー部材１２５は、カード４１のカード接点部４１ａを第１及び第２のコンタクト１１，１２の位置へ案内するようにスライダ３１を保持しカバーハウジング１２３に直接固定するか、又は他部品を介して間接的にカバーハウジング１２３に固定するようにしてもよい。
【実施例３】
【００６８】
図１２及び図１３は、カード用コネクタの実施例３を示している。なお、図１乃至図５によって説明した実施例１と同じ部分には、同じ符号を付して説明を省略する。
【００６９】
ハウジング２１には、ブリッジ部２９の切り欠き部２９ｂ内に、カード４１を嵌合方向Ａへ移動させた際に押圧されるポンプ１５１が組み込まれている。ポンプ１５１をスライダ３１の爪部３１ｃによって押圧することにより、ハウジング２１に形成した排気弁１５１ｇを開き排気し、ハウジング２１の受台部２８ｃに形成した吸着弁１５１ｊによってカード４１を吸引する。カード４１を排出するときには、ブリッジ部２９に設けられている吸気弁１５１ｈを開くことで、カード４１の吸引を解除する。
【産業上の利用可能性】
【００７０】
本発明は、携帯電話機、電話機、ＰＤＡ、デジタルカメラ等の電子機器、メモリとして制御回路が内蔵されたＳＩＭ（subscriber identity module）カード、ＭＭＣ（multi media card）カード、スマートメディア（商標）、ＳＤ（secure digital）カード、メモリスティック（商標）、ＥＴＣ車載器に用いるＥＴＣカードなどのカードと、接続対象物であるプリント配線基板とを接続するカード用コネクタとしての用途にも適用できる。
【００７１】
また、本発明は、カードを保持する必要がある携帯型決済端末あるいは金融決済端末機に搭載されるカード用コネクタとしての用途にも適用できる。
【図面の簡単な説明】
【００７２】
【図１】本発明に係るカード用コネクタの実施例１を示す平面図である。
【図２】図１に示したカード用コネクタのII-II線断面図である。
【図３】図１に示したカード用コネクタを左側から見た状態の側面図である。
【図４】図２に示したカード用コネクタからスライダを取り外した状態を示した断面図である。
【図５】図１に示したカード用コネクタのスライダとカードとを示した斜視図である。
【図６】図２に示したカード用コネクタにカードを嵌合した後の状態を示す断面図である。
【図７】本発明のカード用コネクタの実施例２を示す断面図である。
【図８】図７に示したカード用コネクタのカードと嵌合する前の状態を示す断面図である。
【図９】図７に示したカバーハウジングを示した斜視図である。
【図１０】図７に示したストッパー部材を示した斜視図である。
【図１１】図７に示したカード用コネクタとカードとの嵌合状態示す断面図である。
【図１２】本発明のカード用コネクタの実施例３を示す断面図である。
【図１３】図１２に示したカード用コネクタとカードと嵌合状態を示す断面図である。
【符号の説明】
【００７３】
１１    第１のコンタクト
１１ｄ    第１の接点部
１２    第２のコンタクト
１２ｄ  第２の接点部
２１，１２１    ハウジング
２５ａ，２５ｂ    フレーム部
２５ｆ    ガイド溝
２５ｇ,２５ｇ´    傾斜溝部
２５ｈ,２５ｈ´    先端溝部
２７    ベース部
２８ａ    第１のコンタクト保持部
２８ｂ    第２のコンタクト保持部
２８ｃ    受台部
２９，１２９    ブリッジ部
２９ａ    前面
２９ｂ    切り欠き部
２９ｃ    第１の面
２９ｃ    ブリッジ部の第１の面
２９ｄ    第２の面
３１    スライダ
３１ａ    スライダ本体部
３１ｂ    当接部
３１ｃ    爪部
３１ｄ    平行部
３１ｅ    傾斜部
３１ｇ    ガイド枠部
３２ｅ    第１のガイド部
３２ｆ    第２のガイド部
４１    カード
４１ａ    カード接点部
１２３    カバーハウジング
１２３ｂ    押圧部
１２３ｄ    回転用溝
１２５    ストッパー部材
１５１    ポンプ
１５１ｊ    吸着弁
１５１ｇ    排気弁
１５１ｈ    吸気弁
２０１ａ,２０１ｂ    回転軸
Ａ    嵌合方向
Ｂ    離脱方向
Ｗ    幅方向
【図１】
2009104795.tif 000003
【図２】
2009104795.tif 000004
【図３】
2009104795.tif 000005
【図４】
2009104795.tif 000006
【図５】
2009104795.tif 000007
【図６】
2009104795.tif 000008
【図７】
2009104795.tif 000009
【図８】
2009104795.tif 000010
【図９】
2009104795.tif 000011
【図１０】
2009104795.tif 000012
【図１１】
2009104795.tif 000013
【図１２】
2009104795.tif 000014
【図１３】
2009104795.tif 000015